(57)【要約】      （修正有）【課題】従来のアルバムの表紙は中身の破損や汚れを防ぐだけであり、表紙本体に何ら細工を施しているものはなかった。このため表紙に施錠を持たせることとした。【解決手段】アルバムの表表紙の表面あるいは裏表紙の裏面の一部に所望のサイズで所望の形状の凹部を形成し、この凹部に収まる箱様のスペースを設け、その付設された箱様スペースに左右あるいは上下どちらかに開閉可能な扉状の蓋を施し、個人の情報管理を可能にする施錠機能をあわせもつ物品収納施錠付きアルバムである。アルバムの台紙には保存不可能な立体の物品、厚みのある紙類等を保存することが可能であり、表紙に開閉可能な扉付の箱様スペースとそれに施錠機能をつける事により従来のアルバムに保存したくてもできなかった物品を保存可能にした。また、施錠機能を付設することにより、そこに収納された物品や紙類における個人の情報管理も提供できるようにした。【選択図】図２
2010162725.tif 000002
【特許請求の範囲】
【請求項１】
アルバムの表表紙の表面又は裏表紙の表面の一部を所望のサイズで所望の形状の凹部を形成し、この凹部に所望の箱様スペースを取り付け、それに開閉可能な所望の扉状の上蓋を取り付ける。この扉状の上蓋に所望の施錠機能を付設した収納箱様スペースを付することを特徴とするアルバム。
【請求項２】
上記所望の収納箱上蓋に左端部より右端部に、あるいは上端部から下端部にむけて所望サイズの帯状のベルトを付設し、そのベルトを所望のベルト留めに通し、そのベルトの右端に所望のサイズの穴を開け、所望のサイズの施錠可能な錠を付設することを特徴とする、請求項１に記載のアルバム。
【発明の詳細な説明】
【技術分野】
【０００１】
この発明は、人生における記念すべき一瞬一瞬と想い出を写真等と共に保存し、記録、記念とするアルバムとその施錠付き収納箱に関する。
【背景技術】
【０００２】
現代において、今も変わらぬもの、求めつづけるもの、それは「絆」ではないかと考える。希薄になったこの世の中で、「家族の絆」、「仲間との絆」、「次世代に繋ぐ絆」いろいろな絆が大切ではないかと思う。そこで、人生におけるその絆となる心に残る伝えたい大切なもの、記念に残したいものを形として残せる様にし、それを保存収納出来き、かつ施錠機能を備え付けることによりアルバムに付加価値を提供することである。
【０００３】
そして、従来この種のアルバムとして、写実性やデータ保存機能を備えたもの、使いやすいもの、さまざまな提案がなされている。
【先行技術文献】
【特許文献】
【０００４】
【特許文献１】特開２００５?１７８３４３号公報や
【特許文献２】特開２００３?９４８５７号公報や、
【特許文献３】特開２００３-９４８５６号公報や、また
【特許文献４】特開２００２?３６２０６１号公報や
【特許文献５】実開平６?４６９６１号公報やさらに
【特許文献６】実用新案登録第３０６９２６４号公報や
【特許文献７】実開昭４８-１３１１８号公報や
【特許文献８】実開昭４８?５８２６号公報や
【特許文献９】実開昭５３?７８１２８号公報がある、さらには、
【特許文献１０】実開昭４８?７１９２３号公報や、
【特許文献１１】実開昭４９?６４０２２号公報や、
【特許文献１２】実開昭４８-６１１６号公報等がある。  特許文献１の様に１枚の表紙に２本の折り目が刻切され、それにより表表紙と背表紙と裏表紙とが構成され、この裏表紙に背表紙を厚さとする所望の高さの枠状の収納部を付設し、その枠状の内壁部に所望数のアルバムが収められるように段付の保護部材を付設し、さらに、その段付の保護部材の一方の段の上面から裏表紙の表面に達し、所望数のビデオケースが収納できるような切り欠き部と、さらに、この保護部材の他方の段の上面から所望深さの切り欠き部で所望数のＤＶＤケースＣが収められるようにしたことを特徴とした収納ボックスや、特許文献２のように、写真配置用の窓部を打ち抜いた化粧台紙を継綴し、化粧台紙間に両面に貼着シートを備えた支持台紙を貼着すると共に窓部に露呈する貼着面を剥離紙で覆ってアルバム台紙を作成し、これに表紙を付けてアルバム帳とし、写真をアルバム帳の前記剥離紙を剥がして写真を窓部に嵌め込んで写真アルバムを製造したものである。また、特許文献３のように、アルバム写真のデジタルデータを記録したデジタル記録体を設けると共に、個人顔写真と団体集合写真との内の少なくとも一方の写真と、その写真に写った人の名前とを対応させて印刷した冊子を設けたものである。また、特許文献４のように、故人の生前の写真の他に、故人の生前の手紙や日記、故人の愛用品、故人の収集品、故人の趣味的な作品、故人の生前の肉声が録音されたテープ等の品物類を可能な限り多く集め、この中から故人の人生の歩みを幅広く偲ばせるものに相応した代表的な品物を選んで写真とともに一冊のアルバムに収めたものである。さらに、特許文献５乃至特許文献８のように、カセットテープ、ＶＨＳテープ、８ミリテープのいずれにも対応できるものとし、固定器具でアルバム開閉時に動かないようにし、バインダーにファイル不可能なものを入れるスペース等を設け、多くの種類の記念、記録を収納できるようにしたり、写真アルバムはコンパクトディスクを収めることのできるポケットを備えた１枚を含むようにしたり、カセットテープの収納用筐体を取り付けたアルバムや、磁気録音テープの収納部を取り付けたアルバムや、特許文献９のように、カセットテープ及びネガフィルム等を収納する箱体に写真支持シートを取り付けたものである、さらには、特許文献１０のように、左葉表紙と右葉紙のそれぞれ裏側に左右葉台紙を設け、この各々の台紙に写真及び記念書類を収納することが出来る袋状の透明な被膜を設けた記念写真帳であり、特許文献１１のように、文字又は寿・鶴等のマーク及び紅白等の紐を設けた両開き表紙を開くと、表紙の裏面に誓詞の印刷面、その他の印刷を設け、両開きの第２表面に松等の絵及び寿証書等の内容表示を印刷し、この２頁を開くとその裏面に各々の披露宴列席者名簿及び新婚旅行コース等の日程、所在図等の記録欄を設け、両開きの第３表面に竹等の絵を印刷し、新郎・新婦の家系図等の記入図を印刷し、両開きの第４表面に梅等の絵及び結婚記念日名等を印刷し、その裏面に鶴・亀等の行事に因んだ絵を印刷し、現れた第５表面に富士の等の絵と共に出席者のサインとし、さらに第５頁の裏面に新郎・新婦の写真及び出席者の写真等の貼り付け欄を設け、最後の裏表紙の裏面に結婚証明書等の全ての記載事項を表示するようにした記念アルバムであり、特許文献１２のように、内面の上下または左右に止縁を設け、これに透明板を挿入せる飾扉枠をアルバム収納庫の口部に蝶番その他の機構により開閉自在に装着したものである。しかし、特許文献１乃至特許文献１２のものには、いずれも人生の大切な記念に「絆」となるものを施錠という付加価値を付けた、アルバムと一体になった収納箱付きのものはない。つまり、これらのものは、大切な一瞬一瞬を捉えた記念の写真等をだれでも簡単に、確実に、保存するアルバム等や収納ボックス等ではあるが、施錠という機能を備えてないため、個人の情報保護できるものではないので、これらの問題を解決するために、誰にでも簡単に開けることの出来ない施錠という、付加価値を付けた物品収納機能かつ施錠機能付アルバムを提供することである。
【発明の概要】
【発明が解決しようとする課題】
【０００５】
解決しようとする問題点は、心の豊かさや繋がり、いわゆる絆を求める現代社会の人々に対して、その人生における記念すべき日の思い出や、その思い出に付随するさまざまな品々にもっと付加価値を付け、楽しかった、うれしかった、そのときの思い出や次に残しておきたい記念の品々、写真等をリアルに形あるものとして、残しえるようにしたり、あるいは、この中から故人の人生の歩みを幅広く偲ばせるものに相応した代表的な品物を選んで収め、絆を残せるようにできたり、さらに高級感を演出することにより、世界で一冊のアルバムを提供すること。
残しておきたい、また繋いでいきたい思い出を一括に保存できる大切なアルバムと同時に、時代が移り変わっても色褪せない思い出の品々を、簡単に、確実に、誰にでも収納可能にし、さらに施錠機能を付すことにより、それが誰にでも簡単に開けることできない守られた思い出や記録、記念の品々となる。すなわち情報保護、そして、高級感を演出させる世界に二つとない、かけがえのない唯一のアルバム等の収納箱を提供すること。
【課題を解決するための手段】
【０００６】
アルバムの表紙の表面又はアルバムの裏表紙の表面の一部を所望のサイズで所望の形状の凹部を形成し、この凹部に所望の箱様スペースを設けた、すなわち既存の台紙にこれらの表紙を付したことを特徴とするアルバムである。布製、または皮革製のアルバムの表紙の表面又はアルバムの裏表紙の表面の一部を所望のサイズで所望の形状の凹部を形成し、この凹部に所望の箱様スペースを設ける。この所望の箱様スペースに所望の扉状の上蓋を付設し、扉状の蓋に所望の帯状のベルトとそれを通す所望のベルト留めを付設し、この左右あるいは上下で開閉可能な所望の箱に所望の施錠機能を付設する。この所望の箱ならびに上蓋、ベルトならびにベルト留めは、木製、紙製、アルミ製、その他の金属製、あるいは合成樹脂製等で形成し、これらに布製、または皮革製のカバーを施してもよい。これら所望の付属物を備えた特徴を持つ施錠付収納箱のアルバムである。
【発明の効果】
【０００７】
人と人、人生における絆を大切にする人々にとって、思い出や記念となる品々に付加価値をつけ、心に残ったうれしかった思い出や記念に残る思い出をリアルに残しえるように、写真等を保存するだけでなく、その写真を収めたアルバムに色褪せることのない品々を簡単に、確実に、誰にでも収納可能にし、それを守り、個人の情報とし保護できるように施錠機能を施した。これは、施錠した収納箱に収めることで、絆となる思い出の品々をアルバムと一括に、誰にでも開錠できない収納箱に保存できるため、保存し施錠した時と同じように開錠時にその時の思い出が、一層リアルに蘇り、心からその当時の想いを、また、その絆を感じることができ、感動や感激をもたらしてくれる。その感動により、生きていく上での絆や希望、喜びが人生における大きな役割を与えてくれるのは言うまでもない。
さらに言うならば、この施錠機能はかけがえのない大切な思い出が簡単に見ることができないことにより、よりいっそうの高級感を演出したアルバム等の収納箱である。
【図面の簡単な説明】
【０００８】
【図１】この発明の一実施形態を示す全体写真で施錠を閉じた状態である。
【図２】表紙の施錠をはずし扉を開けた状態の図面である。
【図３】南京錠の図面である。
【発明を実施するための形態】
【０００９】
図１は、本発明1実施例を表したアルバムの全体図であり、厚紙、合成樹脂、合成皮、皮、布、金糸等の織布等の適宜材質による表装紙１で、好ましくは鹿、牛、蛇、鰐等の皮革製である。
【００１０】
また、図２のように、表表紙の表面に所望の形状の凹部を形成する２、凹部の内蔵した箱様スペースは木製、紙製、アルミ製、その他の金属製、あるいは合成樹脂製等の適宜材質により設けられ、この凹部は、図示してないが、表表紙に限らず裏表紙に所望の凹部を形成してもよい。
図２のように、アルバムの表表紙に所望のサイズの凹部を形成して、この凹部に所望のサイズの扉状の上下あるいは左右どちらかに開閉可能な蓋を付設し３、その所望の扉状の蓋に左端から右端に４、図示してないがその逆も可能な所望のベルトを付し、又は、図示してないが、所望の扉状の蓋に上端部から下端部、図示してないがその逆も可能な所望のベルトを付す。この所望のベルトを通すことのできる所望のループを片端に付設し５、これら３，４，５に布製、または皮革製のカバーを施してもよい。所望の鍵穴を開け６、所望の鍵を取り付けられるようにし７、施錠可能とする。図示してないが、上端部から下端部に所望のベルトを付設したときも同じように所望のベルト留め、所望の鍵穴、所望の鍵を所望の位置に付設する。
「実施形態の効果」
この実施形態によれば、アルバム従来の表紙が持つ、中身の破損や汚れを防ぐ機能だけでなく、アルバムの台紙には保存不可能な立体の物品、厚みのある紙類等を保存することが可能であり、表紙に開閉可能な扉付の箱とそれに施錠機能をつける事により従来のアルバムに保存したくてもできなかった物品を保存可能にした。また、そこに収納された物品や紙類における個人の情報管理も提供できるようにした。
【００１１】
「他の実施形態」
従来のアルバムの実施形態では、表紙に物品収納可能な箱様スペースを内臓させ、その箱に開閉可能な扉状の蓋や施錠機能付設したものはない。
【符号の説明】
【００１２】
１・・・アルバムの表紙
２・・・箱様スペース
３・・・箱様スペースの上蓋
４・・・上蓋に付設するベルト
５・・・ベルト留め
６・・・南京錠
７・・・南京錠の鍵
Ａ・・・箱様スペースの内部
Ｂ・・・箱様スペースの外枠
【図１】
2010162725.tif 000003
【図２】
2010162725.tif 000004
【図３】
2010162725.tif 000005